(57)【要約】【課題】オンラインサービスにおいて、画像のアップロードをスムーズに行うことが可能な情報処理方法を提供すること。【解決手段】第１情報処理装置及び第２情報処理装置と通信する第３情報処理装置が行う情報処理方法であって、アップロードされる画像を表示するための画像表示領域を含む画像登録画面であって、画像表示領域に表示する画像のアップロード先を示す情報を含む識別子が表示される画像登録画面を第１情報処理装置に表示させる第１表示制御ステップと、第２情報処理装置から、識別子で示される画像のアップロード先に対してアップロードする画像を受け付ける受付ステップと、画像登録画面における画像表示領域に、受け付けた画像を表示させる第２表示制御ステップと、を含む情報処理方法を提供する。【選択図】図１４
2020013420.tif 000002
【特許請求の範囲】
【請求項１】
第１情報処理装置及び第２情報処理装置と通信する第３情報処理装置が行う情報処理方法であって、
アップロードされる画像を表示するための画像表示領域を含む画像登録画面であって、前記画像表示領域に表示する画像のアップロード先を示す情報を含む識別子が表示される画像登録画面を前記第１情報処理装置に表示させる第１表示制御ステップと、
前記第２情報処理装置から、前記識別子で示される画像のアップロード先に対してアップロードする画像を受け付ける受付ステップと、
前記画像登録画面における前記画像表示領域に、受け付けた画像を表示させる第２表示制御ステップと、を含む情報処理方法。
【請求項２】
前記画像登録画面には、アップロードされる複数の画像の各々を表示するための複数の画像表示領域が含まれており、
前記複数の画像表示領域の各々には、前記複数の画像表示領域の各々に対応づけられる画像のアップロード先を含む識別子が表示されており、
前記受付ステップは、前記複数の画像のアップロード先のうち所定の画像のアップロード先に対してアップロードする画像を受け付け、
前記第２表示制御ステップは、受け付けた画像を、前記所定の画像のアップロード先に対応する画像表示領域に表示させる、請求項１に記載の情報処理方法。
【請求項３】
前記受付ステップは、前記第２情報処理装置から前記アップロードする画像を受け付ける前に、前記識別子で示される画像のアップロード先へのアクセスを受け付け、
前記第２表示制御ステップは、前記アクセスを受け付けた場合、前記画像登録画面に、ユーザが操作中であることを示すメッセージを表示させる、請求項１又は２に記載の情報処理方法。
【請求項４】
前記受付ステップは、更に、前記第２情報処理装置の画面において行われる、画像をアップロードするためのユーザ操作の状況を示す操作状況データを前記第２情報処理装置から受付け、
前記第２表示制御ステップは、前記操作状況データに応じたユーザ操作の状況を示すメッセージを、前記画像登録画面に表示させる、請求項１に記載の情報処理方法。
【請求項５】
前記識別子には、アップロードすべき画像をユーザに指示する情報が含まれている、請求項１乃至４のいずれか一項に記載の情報処理方法。
【請求項６】
前記アップロードすべき画像をユーザに指示する情報は、画像の枠内における撮影対象の位置を示す撮影ガイドを前記第２情報処理装置の画面に描画させるためのデータである、請求項５に記載の情報処理方法。
【請求項７】
第１情報処理装置及び第２情報処理装置と通信する第３情報処理装置として動作する情報処理装置であって、
アップロードされる画像を表示するための画像表示領域を含む画像登録画面であって、前記画像表示領域に表示する画像のアップロード先を示す情報を含む識別子が表示される画像登録画面を前記第１情報処理装置に表示させる第１表示制御部と、
前記第２情報処理装置から、前記識別子で示される画像のアップロード先に対してアップロードする画像を受け付ける受付部と、
前記画像登録画面における前記画像表示領域に、受け付けた画像を表示させる第２表示制御部と、を有する情報処理装置。
【請求項８】
第１情報処理装置及び第２情報処理装置と通信する第３情報処理装置に、
アップロードされる画像を表示するための画像表示領域を含む画像登録画面であって、前記画像表示領域に表示する画像のアップロード先を示す情報を含む識別子が表示される画像登録画面を前記第１情報処理装置に表示させる第１表示制御ステップと、
前記第２情報処理装置から、前記識別子で示される画像のアップロード先に対してアップロードする画像を受け付ける受付ステップと、
前記画像登録画面における前記画像表示領域に、受け付けた画像を表示させる第２表示制御ステップと、を実行させるプログラム。
【発明の詳細な説明】
【技術分野】
【０００１】
本開示は、情報処理方法、情報処理装置及びプログラムに関する。
【背景技術】
【０００２】
現在、インターネット上では、様々なオンラインサービスが提供されている（例えば非特許文献１）。これらのオンラインサービスを利用する際、ユーザはアカウントの登録を行う必要がある。また、オンラインサービスの中には、アカウントの登録時に身分証明書などの画像のアップロードを要求するサービスや、サービスの提供を受けるために商品画像等のアップロードが必要なサービス等が存在する。
【先行技術文献】
【非特許文献】
【０００３】
【非特許文献１】株式会社メルカリ、[online]、[２０１８年７月１９日検索]、インターネット＜URL:https://www.mercari.com/＞
【発明の概要】
【発明が解決しようとする課題】
【０００４】
ユーザがＰＣ（パーソナルコンピュータ）を用いてオンラインサービスを利用している際に商品画像等のアップロードを求められる場合、スマートフォン等の他の情報処理装置にて撮影した画像を、ＰＣを介さずに直接アップロードすることが出来れば、ユーザの利便性が向上すると考えられる。
【０００５】
本開示は、オンラインサービスにおいて、画像のアップロードをスムーズに行うことが可能な情報処理方法を提供することを目的とする。
【課題を解決するための手段】
【０００６】
本開示の一実施形態に係る情報処理方法は、第１情報処理装置及び第２情報処理装置と通信する第３情報処理装置が行う情報処理方法であって、アップロードされる画像を表示するための画像表示領域を含む画像登録画面であって、画像表示領域に表示する画像のアップロード先を示す情報を含む識別子が表示される画像登録画面を第１情報処理装置に表示させる第１表示制御ステップと、第２情報処理装置から、識別子で示される画像のアップロード先に対してアップロードする画像を受け付ける受付ステップと、画像登録画面における画像表示領域に、受け付けた画像を表示させる第２表示制御ステップと、を含む。
【図面の簡単な説明】
【０００７】
【図１】実施形態の一態様に係る通信システムの構成を示す図である。
【図２】本開示に係る情報処理装置のハードウェア構成の一例を示す図である。
【図３】第１実施形態に係る情報処理装置の機能的な構成を示すブロック図の一例を示す図である。
【図４】第１実施形態に係るＰＣ端末の機能的な構成を示すブロック図の一例を示す図である。
【図５】第１実施形態に係るモバイル端末の機能的な構成を示すブロック図の一例を示す図である。
【図６】第１実施形態に係る通信システムの処理のシーケンスの一例を示す図である。
【図７】第１実施形態に係る通信システムの処理のシーケンスの一例を示す図である。
【図８】第１実施形態に係る入力画面の一例を示す図である。
【図９】第１実施形態の第１実施例に係るＰＣ端末の機能的な構成を示すブロック図の一例を示す図である。
【図１０】第１実施形態の第１実施例に係るモバイル端末の機能的な構成を示すブロック図の一例を示す図である。
【図１１】第１実施形態の第１実施例に係る通信システムの処理のシーケンスの一例を示す図である。
【図１２】第１実施形態の第２実施例に係るＰＣ端末の機能的な構成を示すブロック図の一例を示す図である。
【図１３】第１実施形態の第２実施例に係る通信システムの処理のシーケンスの一例を示す図である。
【図１４】第２実施形態に係る通信システム１の処理のシーケンスの一例を示す図である。
【図１５】第２実施形態に係る通信システム１の処理のシーケンスの一例を示す図である。
【図１６】第２実施形態に係る画像登録画面及びアップロード画面の一例を示す図である。
【図１７】第２実施形態に係る画像登録画面及びアップロード画面の一例を示す図である。
【図１８】第２実施形態に係る画像登録画面及びアップロード画面の一例を示す図である。
【図１９】第２実施形態に係る画像登録画面及びアップロード画面の一例を示す図である。
【図２０】第２実施形態の第１実施例に係る通信システムの処理のシーケンスの一例を示す図である。
【図２１】第２実施形態の第１実施例に係る通信システムの処理のシーケンスの一例を示す図である。
【図２２】第２実施形態の第１実施例に係るアップロード画面の一例を示す図である。
【発明を実施するための形態】
【０００８】
＜法令遵守＞
本明細書に記載の開示は、実施される場合、本開示を実施する各国の法令を遵守のうえで実施される。また、本明細書に記載の開示は、各国の法令を遵守するために必要な、当業者が成し得る全ての変更、置換、変形、改変、および修正をもって実施される。
【０００９】
本開示に係る通信システムを実施するための形態について、図面を参照して説明する。
【００１０】
＜システム構成＞
図１は、本開示の一実施形態に係る通信システム１の構成を示す。図１に開示されるように、通信システム１では、ネットワークＮを介してサーバ１１０Ａ、サーバ１１０Ｂと、ＰＣ端末１２０Ａ、ＰＣ端末１２０Ｂ、ＰＣ端末１２０Ｃと、モバイル端末１３０Ａ、モバイル端末１３０Ｂ、モバイル端末１３０Ｃとが接続される。
【００１１】
本開示において、サーバ１１０Ａと、サーバ１１０Ｂとをそれぞれ区別する必要がない場合は、サーバ１１０Ａとサーバ１１０Ｂとは、それぞれサーバ１１０と表現されてもよい。
【００１２】
本開示において、ＰＣ端末１２０Ａと、ＰＣ端末１２０Ｂと、ＰＣ端末１２０Ｃとをそれぞれ区別する必要がない場合は、ＰＣ端末１２０ＡとＰＣ端末１２０ＢとＰＣ端末１２０Ｃとは、それぞれＰＣ端末１２０と表現されてもよい。
【００１３】
本開示において、モバイル端末１３０Ａ、モバイル端末１３０Ｂ、モバイル端末１３０Ｃとをそれぞれ区別する必要がない場合は、モバイル端末１３０Ａ、モバイル端末１３０Ｂ、モバイル端末１３０Ｃとは、それぞれモバイル端末１３０と表現されてもよい。
【００１４】
本開示において、サーバ１１０と、ＰＣ端末１２０と、モバイル端末１３０とをそれぞれ区別する必要がない場合は、サーバ１１０とＰＣ端末１２０とは、それぞれ情報処理装置２００と表現されてもよい。なお、ネットワークＮに接続される情報処理装置２００の数は限定されない。
【００１５】
サーバ１１０は、ネットワークＮを介してユーザが利用するＰＣ端末１２０及びモバイル端末１３０に、所定のサービスを提供する。所定のサービスは、限定でなく例として、決済サービス、電子商取引サービス、インスタントメッセンジャーを代表とするSNS（Social Networking Service）、楽曲・動画・書籍などのコンテンツ提供サービス等を含む。ユーザがＰＣ端末１２０又はモバイル端末１３０を介して所定のサービスを利用することで、サーバ１１０は１以上のＰＣ端末１２０又はモバイル端末１３０に所定のサービスを提供することができる。
【００１６】
必要に応じて、ユーザＸが利用するＰＣ端末１２０及びモバイル端末１３０を、それぞれＰＣ端末１２０Ｘ及びモバイル端末１３０Ｘと表現し、ユーザＸ、ＰＣ端末１２０Ｘ又はモバイル端末１３０Ｘに対応づけられた、所定のサービスにおけるユーザ情報をユーザ情報Ｘと表現する。なお、ユーザ情報とは、所定のサービスにおいてユーザが利用するアカウントに対応付けられたユーザの情報である。ユーザ情報は、限定でなく例として、ユーザにより入力される、または、所定のサービスにより付与される、ユーザの名前、ユーザのアイコン画像、ユーザの年齢、ユーザの性別、ユーザの住所、ユーザの趣味趣向、ユーザの識別子などのユーザに対応づけられた情報を含み、これらのいずれか一つまたは、組み合わせであってもよい。
【００１７】
ネットワークＮは、２以上の情報処理装置２００を接続する役割を担う。ネットワークＮは、ＰＣ端末１２０又はモバイル端末１３０がサーバ１１０に接続した後、データを送受信することができるように接続経路を提供する通信網を意味する。また、ネットワークＮは、ＰＣ端末１２０及びモバイル端末１３０の間でデータを送受信することができるように接続経路を提供する通信網も意味する。  ネットワークＮのうちの１つまたは複数の部分は、有線ネットワークや無線ネットワークであってもよい。ネットワークＮは、限定でなく例として、アドホック・ネットワーク（Ad Hoc Network）、イントラネット、エクストラネット、仮想プライベート・ネットワーク（Virtual Private Network：ＶＰＮ）、ローカル・エリア・ネットワーク（Local Area Network：ＬＡＮ）、ワイヤレスＬＡＮ（Wireless LAN：ＷＬＡＮ）、広域ネットワーク（Wide Area Network：ＷＡＮ）、ワイヤレスＷＡＮ（Wireless WAN：ＷＷＡＮ）、大都市圏ネットワーク（Metropolitan Area Network：ＭＡＮ）、インターネットの一部、公衆交換電話網（Public Switched Telephone Network：ＰＳＴＮ）の一部、携帯電話網、ＩＳＤＮｓ（Integrated Service Digital Networks）、無線ＬＡＮｓ、ＬＴＥ（Long Term Evolution）、ＣＤＭＡ（Code Division Multiple Access）、ブルートゥース（Bluetooth（登録商標））、衛星通信など、または、これらの２つ以上の組合せを含むことができる。ネットワークＮは、１つまたは複数のネットワークＮを含むことができる。
【００１８】
情報処理装置２００は、本開示に記載される機能、および／または、方法を実現できる情報処理装置であればどのような情報処理装置であってもよい。
【００１９】
情報処理装置２００は、限定でなく例として、スマートフォン、携帯電話（フィーチャーフォン）、コンピュータ（限定でなく例として、デスクトップ、ラップトップ、タブレットなど）、サーバ装置、メディアコンピュータプラットホーム（限定でなく例として、ケーブル、衛星セットトップボックス、デジタルビデオレコーダなど）、ハンドヘルドコンピュータデバイス（限定でなく例として、ＰＤＡ（Personal Digital Assistant）、電子メールクライアントなど）、ウェアラブル端末（限定でなく例として、メガネ型デバイス、時計型デバイスなど）、他種のコンピュータ、またはコミュニケーションプラットホームを含む。
【００２０】
＜ハードウェア（ＨＷ）構成＞
図２を用いて、通信システム１に含まれる情報処理装置２００のＨＷ構成について説明する。
【００２１】
情報処理装置２００は、プロセッサ２０１と、メモリ２０２と、ストレージ２０３と、入出力インタフェース（入出力Ｉ／Ｆ）２０４と、通信インタフェース（通信Ｉ／Ｆ）２０５とを含む。情報処理装置２００のＨＷの各構成要素は、限定でなく例として、バスＢを介して相互に接続される。
【００２２】
情報処理装置２００は、プロセッサ２０１と、メモリ２０２と、ストレージ２０３と、入出力Ｉ／Ｆ２０４と、通信Ｉ／Ｆ２０５との協働により、本開示に記載される機能、および／または、方法を実現する。
【００２３】
プロセッサ２０１は、ストレージ２０３に記憶されるプログラムに含まれるコードまたは命令によって実現する機能、および／または、方法を実行する。プロセッサ２０１は、限定でなく例として、中央処理装置（ＣＰＵ）、ＭＰＵ（Micro Processing Unit）、ＧＰＵ（Graphic s Processing Unit）、マイクロプロセッサ（microprocessor）、プロセッサコア（processor core）、マルチプロセッサ（multiprocessor）、ＡＳＩＣ（Application-Specific Integrated Circuit）、ＦＰＧＡ（Field Programmable Gate Array）等を含み、集積回路（ＩＣ（Integrated Circuit）チップ、ＬＳＩ（Large Scale Integration））等に形成された論理回路（ハードウェア）や専用回路によって各実施形態に開示される各処理を実現してもよい。また、これらの回路は、１または複数の集積回路により実現されてよく、各実施形態に示す複数の処理を１つの集積回路により実現されることとしてもよい。また、ＬＳＩは、集積度の違いにより、ＶＬＳＩ、スーパーＬＳＩ、ウルトラＬＳＩなどと呼称されることもある。
【００２４】
メモリ２０２は、ストレージ２０３からロードしたプログラムを一時的に記憶し、プロセッサ２０１に対して作業領域を提供する。メモリ２０２には、プロセッサ２０１がプログラムを実行している間に生成される各種データも一時的に格納される。メモリ２０２は、限定でなく例として、ＲＡＭ（Random Access Memory）、ＲＯＭ（Read Only Memory）などを含む。
【００２５】
ストレージ２０３は、プログラムを記憶する。ストレージ２０３は、限定でなく例として、ＨＤＤ（Hard Disk Drive）、ＳＳＤ（Solid State Drive）、フラッシュメモリなどを含む。
【００２６】
通信Ｉ／Ｆ２０５は、ネットワークＮを介して各種データの送受信を行う。当該通信は、有線、無線のいずれで実行されてもよく、互いの通信が実行できるのであれば、どのような通信プロトコルを用いてもよい。通信Ｉ／Ｆ２０５は、ネットワークＮを介して、他の情報処理装置との通信を実行する機能を有する。通信Ｉ／Ｆ２０５は、各種データをプロセッサ２０１からの指示に従って、他の情報処理装置に送信する。また、通信Ｉ／Ｆ２０５は、他の情報処理装置から送信された各種データを受信し、プロセッサ２０１に伝達する。
【００２７】
入出力Ｉ／Ｆ２０４は、情報処理装置２００に対する各種操作を入力する入力装置、および、情報処理装置２００で処理された処理結果を出力する出力装置を含む。入出力Ｉ／Ｆ２０４は、入力装置と出力装置が一体化していてもよいし、入力装置と出力装置とに分離していてもよい。
【００２８】
入力装置は、ユーザからの入力を受け付けて、当該入力に係る情報をプロセッサ２０１に伝達できる全ての種類の装置のいずれか、または、その組み合わせにより実現される。入力装置は、限定でなく例として、タッチパネル、タッチディスプレイ、キーボード等のハードウェアキーや、マウス等のポインティングデバイス、カメラ（画像を介した操作入力）、マイク（音声による操作入力）を含む。
【００２９】
出力装置は、プロセッサ２０１で処理された処理結果を出力することができる全ての種類の装置のいずれか、または、その組み合わせにより実現される。当該処理結果を映像、および／または、動画像として出力する場合、出力装置は、フレームバッファに書き込まれた表示データに従って、当該表示データを表示することができる全ての種類の装置のいずれかまたはその組み合わせにより実現される。出力装置は、限定でなく例として、タッチパネル、タッチディスプレイ、モニタ（限定でなく例として、液晶ディスプレイ、ＯＥＬＤ（Organic Electroluminescence Display）など）、ヘッドマウントディスプレイ（ＨＤＭ：Head Mounted Display）、プロジェクションマッピング、ホログラム、空気中など（真空であってもよい）に画像やテキスト情報等を表示可能な装置、スピーカ（音声出力）、プリンターなどを含む。なお、これらの出力装置は、３Ｄで表示データを表示可能であってもよい。
【００３０】
本開示の各実施形態のプログラムは、コンピュータに読み取り可能な記憶媒体に記憶された状態で提供されてもよい。 記憶媒体は、「一時的でない有形の媒体」に、プログラムを記憶可能である。プログラムは、限定でなく例として、ソフトウェアプログラムやコンピュータプログラムを含む。
【００３１】
記憶媒体は適切な場合、１つまたは複数の半導体ベースの、または他の集積回路（ＩＣ）（限定でなく例として、フィールド・プログラマブル・ゲート・アレイ（ＦＰＧＡ）、特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カードもしくはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。
【００３２】
また、本開示のプログラムは、当該プログラムを伝送可能な任意の伝送媒体（通信ネットワークや放送波等）を介して、情報処理装置２００に提供されてもよい。
【００３３】
また、本開示の各実施形態は、プログラムが電子的な伝送によって具現化された、搬送波に埋め込まれたデータ信号の形態でも実現され得る。
【００３４】
なお、本開示のプログラムは、限定でなく例として、ＡｃｔｉｏｎＳｃｒｉｐｔ、ＪａｖａＳｃｒｉｐｔ（登録商標）などのスクリプト言語、Ｏｂｊｅｃｔｉｖｅ−Ｃ、Ｊａｖａ（登録商標）などのオブジェクト指向プログラミング言語、ＨＴＭＬ５などのマークアップ言語などを用いて実装される。
【００３５】
情報処理装置２００おける処理の少なくとも一部は、１以上のコンピュータにより構成されるクラウドコンピューティングにより実現されていてもよい。
【００３６】
情報処理装置２００における処理の少なくとも一部を、他の情報処理装置により行う構成としてもよい。この場合、プロセッサ２０１により実現される各機能部の処理のうち少なくとも一部の処理を、他の情報処理装置で行う構成としてもよい。
【００３７】
＜その他＞
明示的な言及のない限り、本開示の実施形態における判定の構成は必須でなく、判定条件を満たした場合に所定の処理が動作されたり、判定条件を満たさない場合に所定の処理がされたりしてもよい。
【００３８】
本開示では、明記されない限り、または文脈によって示されない限り、「または」は排他的ではなく包含的な意味である。したがって、本開示では、明記されていない限り、または文脈によって示されない限り、「ＡまたはＢ」は「Ａ、Ｂ、またはその両方」を意味する。さらに、明記されない限り、または文脈によって示されない限り、「および」は協同（ｊｏｉｎｔ）および個々（ｓｅｖｅｒａｌ）の両方の意味である。したがって、本明細書では、明記されない限り、または文脈によって 示されない限り、「ＡおよびＢ」は、「ＡおよびＢが一緒に、または個別に（Ａ  ａｎｄ  Ｂ，  ｊｏｉｎｔｌｙ  ｏｒ  ｓｅｖｅｒａｌｌｙ）」を意味する。さらに、明記されない限り、または文脈によって示されない限り、「ａ」、「ａｎ」、または「ｔｈｅ」は「１つまたは複数」を意味するものとする。したがって、本明細書では、別段に明記されない限り、または文脈によって示されない限り、「ａｎ  Ａ」または「ｔｈｅ  Ａ」は「１つまたは複数のＡ」を意味する。
【００３９】
本開示は、本開示の実施形態、および／または、実施例に対して、当業者が成し得る全ての変更、置換、変形、改変、および修正を包含する。同様に、適切な場合、添付の特許請求の範囲は、本開示の実施形態、および／または、実施例に対して、当業者が成し得る全ての変更、置換、変形、改変、および修正を包含する。さらに、本開示は、当業者が成し得る、本開示における実施形態、および／または、実施例の１つまたは複数の特徴と、本開示における他の実施形態、および／または、実施例の１つまたは複数の特徴との任意の組合せを包含する。
【００４０】
加えて、特定の機能を実施するように適合される、配置される、能力を有する、構成される、使用可能である、動作可能である、または動作できる装置またはシステムあるいは装置またはシステムの構成要素に対する添付の特許請求の範囲での参照は、その装置、システム、または構成要素がそのように適合される、配置される、能力を有する、構成される、使用可能にされる、動作可能にされる、または動作できる限り、その装置、システム、構成要素またはその特定の機能がアクティベートされ、オンにされ、またはロック解除されているか否かに関わらず、その装置、システム、構成要素を包含する。
【００４１】
＜第１実施形態＞
第１実施形態は、サーバ１１０が提供するサービスを利用する際に入力が必要な入力フォームについて、ＰＣ端末１２０にて一部ないし途中まで入力された入力済データを、モバイル端末１３０に引継ぐことを可能にする実施形態である。第１実施形態におけるサーバ１１０が提供するサービスで用いられる入力フォームは、テキスト入力やプルダウンメニューの選択の他に、何らかの画像のアップロードが必要な入力フォームである。ユーザが入力すべきテキストや選択すべきプルダウンメニューとしては、限定でなく例として、商品の名称、商品の説明、氏名、住所などである。また、ユーザがアップロードすべき画像は、限定でなく例として、販売したい商品の画像、本人確認で用いられる免許証の画像、ユーザの顔の画像等が挙げられる。
【００４２】
ユーザは、ＰＣ端末１２０を用いて商品名や氏名などのテキストを入力することで入力フォームを埋めていき、画像のアップロードが必要になる前の任意のタイミングでモバイル端末１３０に切り替える。このとき、ユーザがＰＣ端末１２０を用いて入力した入力済データは、モバイル端末１３０の画面の入力フォームに引き継がれる。
【００４３】
第１実施形態によれば、画像のアップロードが必要な入力フォームにおける入力済データを情報処理装置２００間でスムーズに引き継ぐ（移行させる）ことが可能になる。また、これにより、ユーザは、テキストデータ等についてはＰＣ端末１２０を用いて入力を行い、画像についてはモバイル端末１３０を用いてアップロードするといった使い分けを行うことができ、ユーザの利便性を向上させることが可能になる。また、これにより、一旦ＰＣ端末１２０に入力された入力済データが破棄されることなくモバイル端末１３０に引き継がれることから、ＰＣ端末１２０のハードウェアリソースを無駄にすることなく効率的に利用することが可能になる。
【００４４】
＜第１実施形態の機能構成＞
図３を用いてサーバ１１０の機能構成を説明する。図３に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００４５】
（１）サーバの機能構成
サーバ１１０は、通信部３１１と、表示制御部３１２と、入力受付部３１３と、引継制御部３１４と、記憶部３１５とを有する。通信部３１１と、表示制御部３１２と、入力受付部３１３と、引継制御部３１４とは、プロセッサ２０１が、記憶部３１５に格納されているプログラムを読み出して実行することで実現される。記憶部３１５は、メモリ２０２及び／又はストレージ２０３を用いて実現される。
【００４６】
記憶部３１５には、入力フォームに入力された入力済データを格納する入力データ管理ＤＢが記憶されている。入力データ管理ＤＢには、入力済データと入力済データを一意に特定するためのテンポラリＩＤ（「識別子」と呼んでもよい）とが対応づけて格納される。テンポラリＩＤは、入力済データをＰＣ端末１２０からモバイル端末１３０に引き継ぐ際に利用されるＩＤであり、サーバ１１０で発行されるＩＤである。なお、テンポラリＩＤは、必ずしも一時的なＩＤに限定されない。入力済データを一意に識別することが可能なＩＤであればどのようなＩＤであってもよい。
【００４７】
通信部３１１は、通信Ｉ／Ｆ２０５を介してＰＣ端末１２０及びモバイル端末１３０から各種データを受信する処理、及び、通信Ｉ／Ｆ２０５を用いて各種のデータをＰＣ端末１２０及びモバイル端末１３０に送信する処理を行う機能を有する。
【００４８】
表示制御部３１２は、入力フォームを含む画面をＰＣ端末１２０又はモバイル端末１３０のディスプレイに表示させるための画面データを生成して、ＰＣ端末１２０又はモバイル端末１３０に送信する。画面データは、限定でなく例として、ＨＴＭＬデータ、モバイル端末１３０のブラウザで動作するスクリプトが認識可能なフォーマットの画面データ、又は、モバイル端末１３０にインストールされた専用アプリケーションが認識可能なフォーマットの画面データ等を含む。表示制御部３１２は、Ｗｅｂサーバとして動作するために必要な機能を備えていてもよい。
【００４９】
また、表示制御部３１２は、後述する入力受付部３１３が受け付けたテンポラリＩＤに対応する入力済データを入力データ管理ＤＢから取得する。また、表示制御部３１２は、取得した入力済データが入力された状態の入力フォームを表示するための画面データを生成して、モバイル端末１３０に送信する。
【００５０】
入力受付部３１３は、ＰＣ端末１２０のディスプレイに表示された入力フォームにおいて入力された入力済データを、ＰＣ端末１２０から受け付ける機能を有する。また、入力受付部３１３は、モバイル端末１３０から送信されたテンポラリＩＤを受け付ける。
【００５１】
また、入力受付部３１３は、モバイル端末１３０に表示された入力フォームに入力された入力済データを、モバイル端末１３０から受け付ける。また、入力受付部３１３は、モバイル端末１３０からアップロードされた画像を受け付けて、入力データ管理ＤＢに格納する。
【００５２】
引継制御部３１４は、入力済データの引継を行うためのデータ（以下、「引継データ」と言う。）を、通信部３１１を介してＰＣ端末１２０に送信する機能を有する。引継データにはテンポラリＩＤが含まれていてもよいし、入力済データそのものが含まれていてもよい。
【００５３】
また、引継制御部３１４は、入力受付部３１３がＰＣ端末１２０から受信した入力済データを、テンポラリＩＤと対応づけて入力データ管理ＤＢ（記憶装置）に格納する機能を有する。なお、当該機能を行う機能部を格納部と称してもよい。
【００５４】
（２）ＰＣ端末の機能構成
図４を用いてＰＣ端末１２０の機能構成を説明する。図４に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００５５】
ＰＣ端末１２０は、通信部３２１と、表示制御部３２２と、入力部３２３と、記憶部３２４とを有する。通信部３２１と、表示制御部３２２と、入力部３２３とは、プロセッサ２０１が、記憶部３２４に格納されているプログラムを読み出して実行することで実現される。記憶部３２４は、メモリ２０２及び／又はストレージ２０３を用いて実現される。
【００５６】
通信部３２１は、通信Ｉ／Ｆ２０５を介してサーバ１１０から各種データを受信する処理、及び、通信Ｉ／Ｆ２０５を用いて各種のデータをサーバ１１０に送信する処理を行う機能を有する。
【００５７】
表示制御部３２２は、サーバ１１０から画面データを受信し、受信した画面データに基づいて、ＰＣ端末１２０のディスプレイに入力フォームを含む画面を表示させる。表示制御部３２２は、Ｗｅｂブラウザとして動作するために必要な機能を備えていてもよい。
【００５８】
入力部３２３は、キーボードやマウス等の入出力Ｉ／Ｆ２０４を介して各種の入力を受け付ける機能を有する。入力部３２３に入力されたテキスト等は表示制御部３２２がディスプレイに表示する画面に表示される。
【００５９】
（３）モバイル端末の機能構成
図５を用いてモバイル端末１３０の機能構成を説明する。図５に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００６０】
モバイル端末１３０は、通信部３３１と、表示制御部３３２と、入力部３３３と、読取部３３４と、撮影部３３５と、記憶部３３６とを有する。通信部３３１と、表示制御部３３２と、入力部３３３と、読取部３３４と、撮影部３３５とは、プロセッサ２０１が、記憶部３３６に格納されているプログラムを読み出して実行することで実現される。記憶部３３６は、メモリ２０２及び／又はストレージ２０３を用いて実現される。
【００６１】
通信部３３１は、通信Ｉ／Ｆ２０５を介してサーバ１１０から各種データを受信する処理、及び、通信Ｉ／Ｆ２０５を用いて各種のデータをサーバ１１０に送信する処理を行う機能を有する。
【００６２】
表示制御部３３２は、サーバ１１０から画面データを受信し、受信した画面データに基づいて、モバイル端末１３０のディスプレイに入力フォームを含む画面を表示させる。表示制御部３３２は、Ｗｅｂブラウザとして動作し、受信した画面データ（ＨＴＭＬデータ）に基づいて入力フォームを含む画面を表示させてもよい。若しくは、表示制御部３３２は、サーバ１１０から受信した画面データであって、入力フォームへの入力を行うためのスクリプト又は専用アプリケーションが認識可能なフォーマットの画面データに基づいて、モバイル端末１３０のディスプレイに入力フォームを含む画面を表示させてもよい。
【００６３】
入力部３３３は、タッチパネル等の入出力Ｉ／Ｆ２０４を介して各種の入力を受け付ける機能を有する。入力部３２３に入力されたテキスト等は表示制御部３３２がディスプレイに表示する画面に表示される。
【００６４】
読取部３３４は、撮影装置（カメラ）で撮影された一次元コード又は二次元コードをデコードすることで、一次元コード又は二次元コードに埋め込まれたデータを読み取る機能を有する。また、読取部３３４は、読み取ったデータをサーバ１１０に送信する機能を有する。
【００６５】
撮影部３３５は、撮影装置（カメラ）を用いて画像を撮影する機能を有する。また、撮影部３３５は、撮影した画像を、通信部３３１を介して、サーバ１１０に送信する機能を有する。
【００６６】
＜第１実施形態の動作処理＞
図６を参照し、第１実施形態に係る通信システム１の処理について説明する。図６は、第１実施形態に係る通信システム１の処理のシーケンスの一例を示す図である。図６を用いて、ユーザが、ＰＣ端末１２０を用いて所定の入力画面に表示される入力フォームにテキスト等を入力し、その後、モバイル端末１３０から画像をアップロードするまでの一連の処理手順を説明する。
【００６７】
まず、ＰＣ端末１２０の表示制御部３２２は、ユーザ操作に応答してサーバ１１０にアクセスすることで入力画面を表示する（Ｓ１００、Ｓ１０１）。入力画面には、画像のアップロードを含む入力フォームが表示されており、ユーザは、ＰＣ端末１２０を操作することで入力フォームを埋めていく。入力画面には、一旦入力を中断して他の端末に入力済データを引き継ぐ（移行させる）ためのボタンが用意されており、ユーザは、当該ボタンを押下することで、入力フォームへの入力作業を、ＰＣ端末１２０からモバイル端末１３０に引継ぐことができる。
【００６８】
ＰＣ端末１２０の入力部３２３が、入力済みデータをモバイル端末１３０に引き継ぐ（移行させる）ためのボタンが押下されたことを検出すると、通信部３２１は、ユーザ操作に応答して、入力フォームへの入力済データを含む入力中断メッセージをサーバ１１０に送信する（Ｓ１０２）。サーバ１１０の入力受付部３１３が入力中断メッセージに含まれる入力済データを受け付けると、引継制御部３１４はテンポラリＩＤを発行し、入力中断メッセージに含まれる入力済データと対応づけて入力データ管理ＤＢに格納する（Ｓ１０３）。
【００６９】
続いて、サーバ１１０の表示制御部３１２は、テンポラリＩＤを所定のアルゴリズムでエンコードすることで二次元コード画像を生成する（Ｓ１０４）。引継制御部３１４は、生成された二次元コード画像を含む画面データ（引継データ）を、通信部３１１を介してＰＣ端末１２０に送信する（Ｓ１０５）。ＰＣ端末１２０の表示制御部３２２は、入力画面に、受信した二次元コード画像を含む入力画面を表示させる（Ｓ１０６）。
【００７０】
続いて、モバイル端末１３０の読取部３３４は、ユーザ操作に応答して、ＰＣ端末１２０の画面に表示された二次元コード画像に埋め込まれたテンポラリＩＤを読み取る（Ｓ１０７）。モバイル端末１３０の通信部３３１は、テンポラリＩＤを含むメッセージをサーバ１１０に送信する（Ｓ１０８）。サーバ１１０の引継制御部３１４は、テンポラリＩＤをキーに入力データ管理ＤＢを検索することで、テンポラリＩＤに対応づけられている入力済データを読出して表示制御部３１２に渡す。表示制御部３１２は、読み出された入力済データが入力フォームに入力された状態である入力画面を生成し（Ｓ１０９）、生成した入力画面をモバイル端末１３０に表示させるための画面データを、通信部３１１を介してモバイル端末１３０に送信する（Ｓ１１０）。なお、引継制御部３１４は、画面データがモバイル端末１３０に送信された後、入力データ管理ＤＢに格納されている入力済データと、当該入力済データに対応づけられるテンポラリＩＤとを消去するようにしてもよい。
【００７１】
モバイル端末１３０の表示制御部３３２は、受信した画面データに基づき、入力済データが入力フォームに入力された状態である入力画面をディスプレイに表示させる（Ｓ１１１）。ユーザは、必要に応じて入力済データの修正や、入力フォームの中で未入力部分へのデータ入力等を行うと共に、サーバ１１０にアップロードする画像を選択する。モバイル端末１３０の入力部３３３は、ユーザから、アップロードする画像の選択を受け付け（Ｓ１１２）、受け付けた画像の画像データと入力フォームに入力された入力済データとを、通信部３３１を介してサーバ１１０に送信する（Ｓ１１３）。なお、サーバ１１０にアップロードする画像は、撮影部３３５で撮影された画像であってもよい。
【００７２】
サーバ１１０の入力受付部３１３は、受信した画像データと入力済データとを対応づけて入力データ管理ＤＢに格納し（Ｓ１１４）、画像データのアップロードが完了したことを示すメッセージを、通信部３１１を介してモバイル端末１３０に送信する（Ｓ１１５）。
【００７３】
ステップＳ１０２及びステップＳ１０５、ステップＳ１０８及びステップＳ１１０、ステップＳ１１３及びステップＳ１１５の処理手順で送受信されるメッセージは、それぞれ、HTTP Request及びHTTP Responseであってもよいし、ＰＣ端末１２０及びモバイル端末１３０で動作するスクリプト又は専用アプリケーションで認識可能なプロトコルの信号であってもよい。
【００７４】
次に、図７を参照し、実施形態に係る通信システム１の処理について説明する。図７は、第１実施形態に係る通信システム１の処理のシーケンスの一例を示す図である。これまでに説明した図６の例では、ＰＣ端末１２０に入力された入力済データを、一旦サーバ１１０内の入力データ管理ＤＢに保存しておくようにした。一方、図７の例では、ＰＣ端末１２０に入力された入力済データを、サーバ１１０内の入力データ管理ＤＢに保存せずに、二次元コードに埋め込むようにする。
【００７５】
ステップＳ１００乃至ステップＳ１０２の処理手順は図６と同一であるため説明は省略する。続いて、サーバ１１０の入力受付部３１３が入力中断メッセージに含まれる入力済データを受け付けると、表示制御部３１２は、入力中断メッセージに含まれる入力済データを所定のアルゴリズムでエンコードすることで二次元コード画像を生成する（Ｓ１０４１）。引継制御部３１４は、生成された入力済データを含む画面データ（引継データ）を、通信部３１１を介してＰＣ端末１２０に送信する（Ｓ１０５１）。ステップＳ１０６の処理手順は、図６と同一であるため説明は省略する。続いて、モバイル端末１３０の読取部３３４は、ユーザ操作に応答して、ＰＣ端末１２０の画面に表示された二次元コードを撮影し、二次元コード画像に埋め込まれた入力済データを読み取る（Ｓ１０７１）。続いて、モバイル端末１３０の通信部３３１は、入力済データを含むメッセージをサーバ１１０に送信する（Ｓ１０８１）。
【００７６】
サーバ１１０の入力受付部３１３は、当該メッセージに含まれる入力済データを受け付けると、受信した入力済データを表示制御部３１２に渡す。表示制御部３１２は、渡された入力済データが入力フォームに入力された状態である入力画面を生成する（Ｓ１０９１）。ステップＳ１１０乃至ステップＳ１１５の処理手順は、図６と同一であるため説明は省略する。
【００７７】
＜第１実施形態の表示態様＞
図８は、第１実施形態に係る入力画面の一例を示す図である。図８（ａ）及び図８（ｂ）は、ＰＣ端末１２０に表示される入力画面（引継前）の一例を示す。ユーザが移行ボタンＢ１０を押下（又はタップ）すると、図８（ｂ）に示すように、表示エリアＡ１０に二次元コードが表示される。図８（ｃ）は、二次元コードを読み込んだモバイル端末１３０に表示される入力画面（引継後）の一例を示す。図８（ｃ）に示すように、モバイル端末１３０の画面には、ＰＣ端末１２０にて入力済みのデータ（氏名、住所、年齢）が既に反映されている。ユーザは、モバイル端末１３０の画像アップロードボタンＢ２０を押下することで、モバイル端末１３０に保存されている画像や、モバイル端末１３０のカメラで撮影した画像をサーバ１１０にアップロードすることができる。
【００７８】
＜＜第１実施例＞＞
第１実施形態の第１実施例は、サーバ１１０が提供する所定のサービスにおける入力フォームについて、ＰＣ端末１２０にて途中まで入力された入力済データを、ＰＣ端末１２０から直接モバイル端末１３０に引継ぐことを可能にする実施例である。なお、第１実施例では、ＰＣ端末１２０及びモバイル端末１３０では、近距離無線を利用するスクリプト又は専用のアプリケーションが動作しており、当該スクリプト又は専用のアプリケーションによりＰＣ端末１２０及びモバイル端末１３０にて引継処理が行われる前提とする。近距離無線は、限定でなく例として、Ｂｌｕｅｔｏｏｔｈ（登録商標）、ＢＬＥ（Bluetooth Low Energy（登録商標））であってもよい。
【００７９】
第１実施例によれば、ＰＣ端末１２０から直接モバイル端末１３０に入力済データを引き継ぐことが可能であるため、サーバ１１０の処理負荷を軽減することが可能である。
【００８０】
＜＜第１実施例の機能構成＞＞
（１）ＰＣ端末の機能構成
図９を用いてＰＣ端末１２０の機能構成を説明する。図９に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００８１】
第１実施形態の第１実施例に係るＰＣ端末１２０は、更に、近距離通信部３２５と、引継制御部３２６とを有する。通信部３２１と、表示制御部３２２と、入力部３２３と、記憶部３２４と、近距離通信部３２５と、引継制御部３２６とは、プロセッサ２０１が、記憶部３２４に格納されているプログラムを読み出して実行することで実現される。
【００８２】
近距離通信部３２５は、近距離無線通信を行うための各種の機能を有する。例えば、近距離通信部は、近距離無線のビーコン信号を送信する機能、ビーコン信号に応答したモバイル端末１３０の中でコネクションを確立するモバイル端末１３０を選択する機能、及び、近距離無線通信を用いたコネクションを確立する機能を有する。
【００８３】
引継制御部３２６は、近距離通信部３２５を介して、引継データを引継先のモバイル端末１３０に送信する機能を有する。
【００８４】
（２）モバイル端末の機能構成
図１０を用いてモバイル端末１３０の機能構成を説明する。図１０に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００８５】
第１実施形態の第１実施例に係るモバイル端末１３０は、更に、近距離通信部３２７と、引継制御部３３８とを有する。通信部３３１と、表示制御部３３２と、入力部３３３と、読取部３３４と、撮影部３３５と、近距離通信部３２７と、引継制御部３３８とは、プロセッサ２０１が、記憶部３３６に格納されているプログラムを読み出して実行することで実現される。
【００８６】
近距離通信部３３７は、近距離無線通信を行うための各種の機能を有する。例えば、近距離通信部は、近距離無線のビーコン信号を受信する機能、ＰＣ端末１２０との間でコネクションを確立する機能を有する。
【００８７】
引継制御部３３８は、近距離通信部３３７を介して、引継データを引継元のＰＣ端末１２０から受信し、引継データを入力画面に展開する機能を有する。
【００８８】
＜＜第１実施例の動作処理＞＞
図１１を参照し、第１実施形態の第１実施例に係る通信システム１の処理について説明する。図１１は、第１実施形態の第１実施例に係る通信システム１の処理のシーケンスの一例を示す図である。図１１を用いて、ＰＣ端末１２０及びモバイル端末１３０との間で、近距離無線通信を用いて引継処理が行われる際の処理手順を説明する。なお、図１１において、ＰＣ端末１２０に表示されている入力フォームの少なくとも一部にはデータが入力されている前提とする。
【００８９】
まず、ＰＣ端末１２０の近距離通信部３２５は、近距離無線信号（ビーコン信号）を送信する（Ｓ２００）。モバイル端末１３０Ｂの近距離通信部３３７は、近距離無線信号を検出し（Ｓ２０１）、近距離無線信号を検出したことをサーバ１１０に通知する（Ｓ２０２）。同様に、モバイル端末１３０Ａの近距離通信部３３７は、近距離無線信号を検出し（Ｓ２０３）、近距離無線信号を検出したことをサーバ１１０に通知する（Ｓ２０４）。
【００９０】
続いて、ＰＣ端末１２０の近距離通信部３２５は、近距離無線通信にて接続するモバイル端末１３０を選択する（Ｓ２０５）。接続するモバイル端末１３０の選択は、ユーザ操作に応答して行われるようにしてもよい。ここでは、モバイル端末１３０Ａと接続することに決定したと仮定する。
【００９１】
続いて、ＰＣ端末１２０の近距離通信部３２５は、モバイル端末１３０Ａとの間でコネクションを確立する（Ｓ２０６）。コネクションが確立されると、ＰＣ端末１２０の引継制御部３２６は、入力フォームにて入力済みの入力済データを含む引継データを、近距離通信部３２５を介してモバイル端末１３０Ａに送信する（Ｓ２０７）。このとき、入力済データに複数の入力項目のデータが含まれる場合（例えば、氏名、年齢、住所等）、ＰＣ端末１２０の引継制御部３２６は、入力済データを入力項目ごとにモバイル端末１３０Ａに送信するようにしてもよい。引継データを受信したモバイル端末１３０Ａの引継制御部３３８は、引継データに含まれる入力済データをサーバ１１０に送信する（Ｓ２０８）。ステップＳ１０９１、ステップＳ１１０乃至ステップＳ１１５の処理手順は、図７と同一であるため説明は省略する。
【００９２】
なお、モバイル端末１３０にて、近距離無線を利用するスクリプト又は専用のアプリケーションが動作している場合で、当該スクリプト及び専用のアプリケーションが入力フォームを自ら描画する能力を有している場合、ステップＳ２０８、ステップＳ１０９１及びステップＳ１１０の処理手順は省略されてもよい。
【００９３】
＜＜第２実施例＞＞
第１実施形態の第２実施例は、サーバ１１０は、入力済データの引継先のモバイル端末１３０が、認証されたモバイル端末１３０である場合に入力済データの引継ぎを行う。もし、入力済データの引継先のモバイル端末１３０が認証されたモバイル端末１３０ではない場合、サーバ１１０は、入力済データの引継ぎを行わない。
【００９４】
第２実施例によれば、認証されたモバイル端末１３０以外のモバイル端末１３０には入力済データが引き継がれないことから、入力済データが第三者に漏洩するリスクを抑制することが可能になる。
【００９５】
＜＜第２実施例の機能構成＞＞
（１）ＰＣ端末の機能構成
図１２を用いてサーバ１１０の機能構成を説明する。図１２に開示の機能部は、情報処理装置２００が備えるプロセッサ２０１と、メモリ２０２と、ストレージ２０３と、入出力Ｉ／Ｆ２０４と、通信Ｉ／Ｆ２０５との協働により実現される。
【００９６】
第１実施形態の第２実施例に係るサーバ１１０は、更に、認証部３１６を有する。通信部３１１と、表示制御部３１２と、入力受付部３１３と、引継制御部３１４と、認証部３１６とは、プロセッサ２０１が、記憶部３１５に格納されているプログラムを読み出して実行することで実現される。記憶部３１５は、メモリ２０２及び／又はストレージ２０３を用いて実現される。
【００９７】
入力受付部３１３は、モバイル端末１３０からテンポラリＩＤと共に、モバイル端末１３０を認証するための認証コード（認証情報）を受け付ける。認証部３１６は、入力受付部３１３で受け付けた認証コードに基づいて、モバイル端末１３０の認証を行う。認証コードは、限定でなく例として、予めサーバ１１０又はサードパーティーシステムから払いだされた所定の識別子であってもよいし、予め定められたサーバ１１０とモバイル端末１３０との間で定められたアルゴリズムに従って生成される識別子であってもよい。
【００９８】
例えば、認証部３１６は、モバイル端末１３０から受け付けた認証コードが記憶部３１５に格納されている認証コードと同一であるか否かを比較することで、モバイル端末１３０の認証を行うようにしてもよい。若しくは、認証部３１６は、モバイル端末１３０から受け付けた認証コードと、予め定められたアルゴリズムに従って生成した認証コードとが一致するか否かを比較することで、モバイル端末１３０の認証を行うようにしてもよい。
【００９９】
＜＜第２実施例の動作処理＞＞
図１３を参照し、第１実施形態の第２実施例に係る通信システム１の処理について説明する。図１３は、第１実施形態の第２実施例に係る通信システム１の処理のシーケンスの一例を示す図である。
【０１００】
ステップＳ１００乃至ステップＳ１０７の処理手順は、図６と同一であるため説明は省略する。モバイル端末１３０の通信部３３１は、テンポラリＩＤ及び認証コードを含むメッセージをサーバ１１０に送信する（Ｓ１０８２）。サーバ１１０の認証部３１６は、受信した認証コードに基づいて、テンポラリＩＤを送信したモバイル端末１３０が認証されたモバイル端末１３０であるか否かの認証を行う。認証に成功した場合、サーバ１１０は、ステップＳ１０９の処理手順に進む。認証に失敗した場合、サーバ１１０は、ステップＳ１０９の処理手順を行わない。ステップＳ１０９乃至ステップＳ１１５の処理手順は、図６と同一であるため説明は省略する。
【０１０１】
＜＜第３実施例＞＞
第１実施形態において、ＰＣ端末１２０の入力画面に表示される二次元コードは、二次元コードに限定されない。例えば、二次元コードに代えて一次元コードを表示させるようにしてもよいし、二次元コードに代えてＵＲＬの文字列そのものを表示させるようにしてもよい。
【０１０２】
＜第２実施形態＞
第２実施形態は、サーバ１１０が提供する所定のサービスにおいて画像を登録する画面（以下、「画像登録画面」と言う。）において、当該画像登録画面にて求められる画像のアップロードを、ＰＣ端末１２０を介さずにモバイル端末１３０から行うことを可能にする実施形態である。画像登録画面は、限定でなく例として、中古品の売買等を行うＷｅｂサイトにおいて、ユーザが売りたい商品の画像を登録する画面や、サービス利用時のアカウント登録を行うＷｅｂサイトにおいて、ユーザの顔写真や免許証の写真等を登録する画面等が挙げられる。
【０１０３】
また、第２実施形態に係る画像登録画面には、アップロードされた画像を表示する画像表示領域を有している。なお、当該画像登録画面は、第１実施形態で説明した、テキスト入力を含む入力フォームを表示する入力画面であってもよい。なお、第２実施形態と第１実施形態とを組み合わせるようにしてもよい。
【０１０４】
第２実施形態によれば、ユーザは、入力フォームのうちテキスト入力等についてはＰＣ端末１２０から行い、画像のアップロードについてはモバイル端末１３０から行うことができ、画像のアップロードを含むフォーム入力を効率的に行うことが可能になる。また、第２実施形態によれば、サーバ１１０への画像のアップロード先が、二次元コード等を介してモバイル端末１３０に伝えられることから、サーバ１１０とモバイル端末１３０との間の通信データ量を削減することが可能になる。さらに、ユーザはアップロードが完了したことを容易に認識することができる。
【０１０５】
＜第２実施形態の機能構成＞
（１）サーバの機能構成
第２実施形態に係るサーバ１１０の機能構成図は、図３と同一であるため図示は省略する。
【０１０６】
記憶部３１５には、入力フォームに入力された入力済データを格納する入力データ管理ＤＢが記憶されている。入力データ管理ＤＢには、アップロードされた画像と入力済データとが対応づけられて格納される。
【０１０７】
通信部３１１は、通信Ｉ／Ｆ２０５を介してＰＣ端末１２０及びモバイル端末１３０から各種データを受信する処理、及び、通信Ｉ／Ｆ２０５を用いて各種のデータをＰＣ端末１２０及びモバイル端末１３０に送信する処理を行う機能を有する。
【０１０８】
表示制御部３１２は、画像登録画面をＰＣ端末１２０又はモバイル端末１３０のディスプレイに表示させるための画面データを生成して、ＰＣ端末１２０又はモバイル端末１３０に送信する（第１表示制御部）。画面データは、限定でなく例として、ＨＴＭＬデータ、モバイル端末１３０で動作するスクリプト又は専用アプリケーションが認識可能なフォーマットの画面データ等を含む。表示制御部３１２は、Ｗｅｂサーバとして動作するために必要な機能を備えていてもよい。
【０１０９】
画像登録画面には、画像表示領域に表示する画像のＵＬ（アップロード）先を示す情報（以下、「ＵＬ先アドレス」と言う。）をエンコードすることで生成された識別子が表示されている。識別子は、限定でなく例として、一次元コードや二次元コードであってもよいし、文字列であってもよい。なお、以下の説明では、便宜上、識別子は二次元コードであるものとして説明する。
【０１１０】
また、表示制御部３１２は、モバイル端末１３０から画像がアップロードされた場合、アップロード先に対応する画像登録画面の画像表示領域に、受け付けた画像を表示させるようにＰＣ端末１２０を制御する（第２表示制御部）。ＵＬ先アドレスは、限定でなく例として、サーバ１１０のアドレスを示すＵＲＬと、画像登録画面に表示する画像を格納するフォルダを示すパス（Path）とを結合した文字列であってもよい。
【０１１１】
なお、画像登録画面には、複数の画像表示領域が含まれていてもよい。この場合、各々の画像表示領域には、各々の画像表示領域に対応するＵＬ先アドレスをエンコードすることで生成される二次元コードが表示されるようにしてもよい。また、表示制御部３１２は、画像がアップロードされた場合、複数の画像表示領域のうち、ＵＬ先アドレスで示されるアップロード先に対応する画像表示領域に、受け付けた画像を表示させるようにＰＣ端末１２０を制御するようにしてもよい。この場合、当該識別子は、限定でなく例として、サーバ１１０のアドレスを示すＵＲＬと、特定の画像表示領域に表示する画像を格納するフォルダを示すパス（Path）とを結合した文字列であってもよい。
【０１１２】
入力受付部３１３は、モバイル端末１３０から、ＵＬ先アドレスに対してアップロードされた画像を受け付ける機能を有する。また、入力受付部３１３は、複数のＵＬ先アドレスのうち所定のＵＬ先アドレスに対してアップロードされた画像を受け付ける。また、入力受付部３１３は、受け付けた画像を入力データ管理ＤＢに格納する。また、入力受付部３１３は、モバイル端末１３０からアップロードされた（受け付けた）画像を表示制御部３１２に渡す。
【０１１３】
引継制御部３１４は、サーバ１１０が第２実施形態のみを実行する場合は不要であるため説明は省略する。
【０１１４】
（２）ＰＣ端末の機能構成
第２実施形態に係るＰＣ端末１２０の機能構成図は、図４と同一であるため図示は省略する。また、第２実施形態に係るＰＣ端末１２０が備える各機能部の説明は、第１の実施形態における機能構成の説明と同一であるため説明は省略する。
【０１１５】
（３）モバイル端末の機能構成
第２実施形態に係るモバイル端末１３０の機能構成図は、図５と同一であるため図示は省略する。
【０１１６】
通信部３３１は、通信Ｉ／Ｆ２０５を介してサーバ１１０から各種データを受信する処理、及び、通信Ｉ／Ｆ２０５を用いて各種のデータをサーバ１１０に送信する処理を行う機能を有する。また、通信部３３１は、画像をアップロードするための画面（以下、「アップロード画面」と言う。）をモバイル端末１３０に表示するための画面データをサーバ１１０から受信する。
【０１１７】
表示制御部３３２は、アップロード画面をディスプレイに表示する。表示制御部３３２は、Ｗｅｂブラウザとして動作し、通信部３３１で受信された画面データ（ＨＴＭＬデータ）に基づいてアップロード画面を表示させてもよい。若しくは、表示制御部３３２は、サーバ１１０から受信した画面データであって、画像アップロードを行うためのスクリプト又は専用アプリケーションが認識可能なフォーマットの画面データに基づいて、モバイル端末１３０のディスプレイにアップロード画面を表示させてもよい。若しくは、表示制御部３３２は、予めプログラム内に組み込まれたアップロード画面を表示するようにしてもよい。
【０１１８】
入力部３３３は、タッチパネル等の入出力Ｉ／Ｆ２０４を介して各種の入力を受け付ける機能を有する。入力部３２３に入力されたテキスト等は表示制御部３３２がディスプレイに表示する画面に表示される。
【０１１９】
読取部３３４は、撮影装置（カメラ）で撮影された二次元コードをデコードすることで、二次元コードに埋め込まれたデータ（ＵＬ先アドレス）を読み取る機能を有する。
【０１２０】
撮影部３３５は、撮影装置（カメラ）を用いて画像を撮影する機能を有する。また、撮影部３３５は、撮影した画像を、通信部３３１を介して、サーバ１１０に送信する機能を有する。
【０１２１】
＜第２実施形態の動作処理＞
図１４を参照し、第２実施形態に係る通信システム１の処理について説明する。図１４は、第２実施形態に係る通信システム１の処理のシーケンスの一例を示す図である。図１４を用いて、ユーザが、ＰＣ端末１２０に表示された画像登録画面に表示される二次元コードをモバイル端末１３０で読み取ることで、画像をアップロードする際の処理手順を説明する。
【０１２２】
まず、ＰＣ端末１２０の通信部３２１は、ユーザ操作に応答してサーバ１１０にアクセスする（Ｓ３００）。サーバ１１０の表示制御部３１２は、画像登録画面に含まれる１以上の画像表示領域の各々に対応するＵＬ先アドレスを生成する（Ｓ３０１）。なお、複数のＰＣ端末１２０が同時にサーバ１１０にアクセスする場合を想定し、表示制御部３１２が生成するＵＬ先アドレスは、サーバ１１０にアクセスしてきたＰＣ端末１２０ごとに異なるアドレスになるように生成されることが望ましい。続いて、表示制御部３１２は、生成したＵＬ先アドレスをエンコードすることで二次元コードを生成する（Ｓ３０２）。複数のＵＬ先アドレスを生成した場合は、それぞれのＵＬ先アドレスについて二次元コードを生成する。続いて、表示制御部３１２は、生成された二次元コード画像を含む画像登録画面の画面データを、通信部３１１を介してＰＣ端末１２０に送信する（Ｓ３０３）。
【０１２３】
ＰＣ端末１２０の表示制御部３２２は、受信した画像データに基づいて画像登録画面を表示する（Ｓ３０４）。続いて、ＰＣ端末１２０の通信部３２１は、サーバ１１０の通信部３１１との間で、サーバ１１０からのＰＵＳＨ通知を受信可能にするためのセッションを確立する（Ｓ３０５）。当該セッションは、ＰＣ端末１２０に表示されている画像表示領域の表示内容を更新する処理を、サーバ１１０側から実行可能にするために用いられる。
【０１２４】
続いて、モバイル端末１３０の読取部３３４は、ユーザ操作に応答して、ＰＣ端末１２０の画像登録画面に表示された二次元コード画像を撮影し、二次元コード画像に埋め込まれたＵＬ先アドレスを読み取る（Ｓ３１０）。続いて、表示制御部３３２は、読み取られたＵＬ先アドレスに向けて画像をアップロードするためのアップロード画面を表示する。入力部３３３は、アップロード画面にてユーザからの画像選択を受け付ける（Ｓ３１１）。続いて、通信部３３１は、選択された画像の画像データをサーバ１１０に送信する（Ｓ３１２）。サーバ１１０の入力受付部３１３は、受信した画像データを入力データ管理ＤＢに格納し、アップロードが完了したことを示すメッセージを、通信部３１１を介してモバイル端末１３０に送信する（Ｓ３１３）。
【０１２５】
続いて、通信部３１１は、ステップＳ３０５で確立したセッションを用いて、モバイル端末１３０からアップロードされた画像の画像データをＰＣ端末１２０に送信する（Ｓ３１４）。ＰＣ端末１２０の表示制御部３２２は、画像登録画面に含まれる画像表示領域に表示されている二次元コード画像を、受信した画像に更新する（Ｓ３１５）。
【０１２６】
図１４において、画像登録画面に複数の画像表示領域が含まれている場合（すなわち、複数の画像をアップロードする必要がある場合）、ステップＳ３１０乃至ステップＳ３１５の処理手順を繰り返すことで、複数の画像をアップロードするようにしてもよい。若しくは、ステップＳ３１０及びステップＳ３１１の処理手順を繰り返すことでアップロードする画像を複数選択し、ステップＳ３１２の処理手順で複数の画像の画像データを同時にサーバ１１０に送信することとしてもよい。
【０１２７】
次に、図１５を参照し、第２実施形態に係る通信システム１の処理について説明する。図１５は、第２実施形態に係る通信システム１の処理のシーケンスの一例を示す図である。図１５の例は、モバイル端末１３０の表示制御部３３２がＷｅｂブラウザであることを想定している。ステップＳ３００乃至ステップＳ３１０の処理手順は、図１４と同一であるため説明は省略する。
【０１２８】
モバイル端末１３０の表示制御部３３２がＵＬ先アドレスにアクセスすると、サーバ１１０の入力受付部３１３は、モバイル端末１３０がＵＬ先アドレスにアクセスしてきたことを検出する（Ｓ３１０１）。続いて、サーバ１１０の表示制御部３１２は、アップロード画面をモバイル端末１３０に表示するための画面データをモバイル端末１３０に送信する（Ｓ３１０２）。ステップＳ３１１乃至ステップＳ３１５の処理手順は、図１４と同一であるため説明は省略する。
【０１２９】
画像登録画面に複数の画像表示領域が含まれている場合（すなわち、複数の画像をアップロードする必要がある場合）、ステップＳ３１０乃至ステップＳ３１５の処理手順を繰り返すことで、複数の画像をアップロードすることができる。
【０１３０】
＜第２実施形態の表示態様＞
図１６は、第２実施形態に係る画像登録画面及びアップロード画面の一例を示す図である。図１６（ａ）は、画像表示領域Ａ２０に二次元コードＡ２０１が表示された状態の画像登録画面の例である。図１６（ｂ）は、二次元コードＡ２０１をモバイル端末１３０で読み取ることでモバイル端末１３０の画面に表示されるアップロード画面の例である。図１６（ｃ）は、アップロード画面より画像がサーバ１１０にアップロードされた際に、画像登録画面の画像表示領域Ａ２０に、二次元コードＡ２０１に代えてアップロードされた画像Ａ２０２が表示された状態を示している。
【０１３１】
図１７は、第２実施形態に係る画像登録画面及びアップロード画面の一例を示す図である。図１７（ａ）に示す画像登録画面には、複数の画像表示領域Ａ３０、Ａ３１及びＡ３２が含まれており、それぞれに、二次元コード（１）Ａ３０１、二次元コード（２）Ａ３１１、二次元コード（３）Ａ３２１が表示されている。図１７（ｂ）は、二次元コード（１）Ａ３０１をモバイル端末１３０で読み取ることでモバイル端末１３０の画面に表示されるアップロード画面の例である。図１７（ｃ）は、図１７（ｂ）に示すアップロード画面よりＴシャツの画像がサーバ１１０にアップロードされた際に、画像登録画面の画像表示領域Ａ３０に、二次元コード（１）Ａ３０１に代えてアップロードされたＴシャツの画像Ａ３０２が表示された状態を示している。
【０１３２】
図１８は、第２実施形態に係る画像登録画面及びアップロード画面の一例を示す図である。画像登録画面の画像表示領域には、ユーザがアップロードする画像を選択中であることを示すメッセージを表示するようにしてもよい。図１８（ａ）の例では、画像登録画面の画像表示領域Ａ３０には、ユーザがアップロードする画像を選択中であることを示すメッセージＡ３０３が表示されている。また、図１８（ｂ）に示すように、ユーザがアップロードすべき画像が複数存在する場合、アップロードすべき順序を指示するメッセージＭ１０を画像登録画面に表示するようにしてもよい。この場合において、ユーザが、指定された二次元コード（ここでは「表面」の二次元コード）を読み取ってアップロード画面をモバイル端末１３０に表示させた際、図１８（ｃ）に示すように、ユーザに対して次の操作を指示するメッセージＭ１１を表示するようにしてもよい。また、ユーザが、誤って指定された二次元コード（ここでは「表面」の二次元コード）以外の二次元コードを読み取った場合、図１８（ｄ）に示すように、読み取る二次元コードが誤っていることを示すメッセージＭ１２を表示するようにしてもよい。また、ユーザが読み取り間違いをするのを防ぐために、二次元コードは１つずつ表示されてもよい。
【０１３３】
図１８に示す表示例は次に示す処理手順により実現することができる。まず、モバイル端末１３０が、ＵＬ先アドレスにアクセスしてきたことをサーバ１１０の入力受付部３１３が受け付ける（図１５のＳ３１０１）。続いて、サーバ１１０の表示制御部３１２は、ＰＣ端末１２０に表示されている画像登録画面のうちＵＬ先アドレスに対応する画像表示領域に、ユーザが操作中であることを示すメッセージ（ユーザがＵＬ画像を選択中であることを示すメッセージ）や、ユーザに対して次の操作を指示するメッセージを表示させる。また、モバイル端末１３０がアクセスすべきＵＬ先アドレスの順序を予め定めておき、モバイル端末１３０が、定められた順序とは異なる順序でＵＬ先アドレスにアクセスしてきたことを入力受付部３１３が検出した場合、表示制御部３１２は、読み取る二次元コードが誤っていることを示すメッセージＭ１２を画像表示画面に表示させる。
【０１３４】
図１９は、第２実施形態に係る画像登録画面及びアップロード画面の一例を示す図である。図１９（ａ）に示す画像登録画面には、複数の画像表示領域Ａ４０、Ａ４１及びＡ４２と、二次元コード表示領域Ａ５０が含まれている。図１９（ｂ）は、二次元コード表示領域Ａ５０に表示されている二次元コードをモバイル端末１３０で読み取ることでモバイル端末１３０の画面に表示されるアップロード画面の例である。図１９（ｃ）は、アップロード画面より画像がサーバ１１０にアップロードされた際に、画像登録画面の画像表示領域Ａ４０にアップロードされた画像が表示された状態を示している。なお、図１９（ｂ）に示すアップロード画面にてユーザが行っている操作はサーバ１１０に通知され、画像登録画面にも反映される。図１９（ｂ）の例では、ユーザは、Ｔシャツの裏面の画像を選択するために領域Ａ６１を操作中であるが、このようなユーザの操作状態を表すメッセージ（画像選択中）が、図１９（ｃ）に示す画像登録画面の画像表示領域Ａ４１にも表示される。
【０１３５】
図１９に示す表示例を実現するために、モバイル端末１３０の表示制御部３３２は、画像をアップロードするためのユーザ操作の状況を示すデータ（以下、「操作状況データ」と言う。）を、通信部３３１を介してサーバ１１０に送信する。サーバ１１０の入力受付部３１３が、操作状況データをモバイル端末１３０から受付けると、表示制御部３１２は、操作状況データに応じたユーザ操作の状況を示すメッセージを、ＰＣ端末１２０の画像登録画面における画像表示領域に表示させる。これにより、ユーザがモバイル端末１３０にて行った操作がＰＣ端末１２０の画像登録画面にも反映されることになり、インタラクティブな画面操作を実現することができる。
【０１３６】
なお、図１６〜図１９の画像表示領域において、二次元コードからアップロードされた画像に切り替わる際、二次元コード画像の面積が減少するにつれてアップロードされた画像の面積が増える態様（スライドイン）により画像が切り替わるようにしてもよい。又は、時間の経過と共に、アップロードされた画像の識別力が上がる態様（フェードイン）により画像が切り替わるようにしてもよい。
【０１３７】
＜＜第１実施例＞＞
第２実施形態の第１実施例は、画像登録画面に表示する二次元コードに、ＵＬ先アドレスに加えて、ユーザがアップロードすべき画像をユーザに指示する情報を含めるようにする。アップロードすべき画像をユーザに指示する情報は、限定でなく例として、画像の枠内における撮影対象の位置を示す撮影ガイドを、モバイル端末１３０の画面（撮影画面）に描画させるためのデータであってもよい。若しくは、アップロードすべき画像の内容、種類、カテゴリ及び枚数等を、直接又は間接的に示す情報であってもよい。
【０１３８】
第１実施例によれば、二次元コードを通じて、撮影の仕方などをユーザに指示することができる。これにより、例えば、ユーザが誤った画像をアップロードする可能性を減らすことができ、モバイル端末１３０からサーバ１１０に送信されるデータ量を削減することが可能になる。
【０１３９】
＜＜第１実施例の動作処理＞＞
図２０を参照し、第２実施形態の第１実施例に係る通信システム１の処理について説明する。図２０は、第２実施形態の第１実施例に係る通信システム１の処理のシーケンスの一例を示す図である。
【０１４０】
ステップＳ３００及びステップＳ３０１の処理手順は、図１４と同一であるため説明は省略する。続いて、サーバ１１０の表示制御部３１２は、アップロードすべき画像をユーザに指示する情報と生成したＵＬ先アドレスの両方をエンコードすることで二次元コードを生成する（Ｓ３０２１）。ステップＳ３０３乃至ステップＳ３０５の処理手順は、図１４と同一であるため説明は省略する。
【０１４１】
続いて、モバイル端末１３０の読取部３３４は、ユーザ操作に応答して、ＰＣ端末１２０の画像登録画面に表示された二次元コード画像を撮影し、二次元コード画像に埋め込まれた、アップロードすべき画像をユーザに指示する情報とＵＬ先アドレスとを読み取る（Ｓ３０９）。表示制御部３３２は、アップロードすべき画像をユーザに指示する情報に従ってアップロード画面を表示する（Ｓ３１１５）。例えば画像を撮影することが可能なアップロード画面の場合、撮影対象の撮影方法を示す撮影ガイドがカメラ画像に重ねて表示されることとしてもよいし、撮影枚数や撮影方法を指示するメッセージが表示されることとしてもよい。ステップＳ３１２乃至ステップＳ３１５の処理手順は、図１４と同一であるため説明は省略する。
【０１４２】
図２１を参照し、第２実施形態の第１実施例に係る通信システム１の処理について説明する。図２１は、第２実施形態の第１実施例に係る通信システム１の処理のシーケンスの一例を示す図である。図２１の例は、モバイル端末１３０の表示制御部３３２がＷｅｂブラウザであることを想定している。
【０１４３】
ステップＳ３００、ステップＳ３０１の処理手順、ステップＳ３０２１の処理手順、ステップＳ３０３の処理手順乃至ステップＳ３０９の処理手順は、図２０と同一であるため説明は省略する。
【０１４４】
続いて、モバイル端末１３０の表示制御部３３２が、読み取られたＵＬ先アドレスにアクセスすると、サーバ１１０の入力受付部３１３は、モバイル端末１３０がＵＬ先アドレスにアクセスしてきたことを検出する（Ｓ３０９１）。続いて、サーバ１１０の表示制御部３１２は、アップロード画面をモバイル端末１３０に表示するための画像データをモバイル端末１３０に送信する（Ｓ３０９２）。なお、当該画像データには、アップロードすべき画像をユーザに指示する情報に基づいてアップロード画面を表示するためのスクリプトを含めておく。もし、アップロードすべき画像をユーザに指示する情報が、画像の枠内における撮影対象の位置を示す撮影ガイドである場合、表示制御部３１２（スクリプト）は、撮影ガイドを描画するためのデータをサーバ１１０から取得するようにしてもよい（Ｓ３０９３、Ｓ３０９４）。
【０１４５】
ステップＳ３１１５、ステップＳ３１２乃至ステップＳ３１５の処理手順は、図２０と同一であるため説明は省略する。
【０１４６】
＜＜第１実施例の表示態様＞＞
図２２は、第２実施形態の第１実施例に係るアップロード画面の一例を示す図である。図２２に示すように、アップロード画面には、カメラ画像を表示する撮影画面Ｇが含まれており、更に、撮影画面Ｇの中に、撮影ガイドＧが表示されている。これにより、ユーザは撮影対象を撮影ガイドＧに重ねて撮影することができ、サーバ１１０が提供するサービスに適した画像をユーザにアップロードさせることが可能になる。
【符号の説明】
【０１４７】
１  通信システム、１１０  サーバ、１１０Ａ  サーバ、１１０Ｂ  サーバ、１２０  端末、１２０Ａ  端末、１２０Ｂ  端末、１２０Ｃ  端末、１２０Ｘ  端末、１３０  モバイル端末、１３０Ａ  モバイル端末、１３０Ｂ  モバイル端末、１３０Ｃ  モバイル端末、１３０Ｘ  モバイル端末、２００  情報処理装置、２０１  プロセッサ、２０２  メモリ、２０３  ストレージ、２０４  入出力インタフェース（入出力Ｉ／Ｆ）、２０５  通信インタフェース（通信Ｉ／Ｆ）、３１１  通信部、３１２  表示制御部、３１３  入力受付部、３１４  引継制御部、３１５  記憶部、３１６  認証部、３２１  通信部、３２２  表示制御部、３２３  入力部、３２４  記憶部、３２５  近距離通信部、３２６  引継制御部、３２７  近距離通信部、３３１  通信部、３３２  表示制御部、３３３  入力部、３３４  読取部、３３５  撮影部、３３６  記憶部、３３７  近距離通信部、３３８  引継制御部
【図１】
2020013420.tif 000003
【図２】
2020013420.tif 000004
【図３】
2020013420.tif 000005
【図４】
2020013420.tif 000006
【図５】
2020013420.tif 000007
【図６】
2020013420.tif 000008
【図７】
2020013420.tif 000009
【図８】
2020013420.tif 000010
【図９】
2020013420.tif 000011
【図１０】
2020013420.tif 000012
【図１１】
2020013420.tif 000013
【図１２】
2020013420.tif 000014
【図１３】
2020013420.tif 000015
【図１４】
2020013420.tif 000016
【図１５】
2020013420.tif 000017
【図１６】
2020013420.tif 000018
【図１７】
2020013420.tif 000019
【図１８】
2020013420.tif 000020
【図１９】
2020013420.tif 000021
【図２０】
2020013420.tif 000022
【図２１】
2020013420.tif 000023
【図２２】
2020013420.tif 000024
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
第１情報処理装置及び第２情報処理装置と通信する第３情報処理装置が行う情報処理方法であって、
アップロードされる画像を表示するための画像表示領域を含む画像登録画面であって、前記画像表示領域に表示する画像のアップロード先を示す情報を含む識別子が表示される画像登録画面を前記第１情報処理装置に表示させる第１表示制御ステップと、
前記第２情報処理装置から、前記識別子で示される画像のアップロード先に対してアップロードする画像を受け付ける受付ステップと、
前記画像登録画面における前記画像表示領域に、受け付けた画像を表示させる第２表示制御ステップと、を含み、
前記画像登録画面には、アップロードされる複数の画像の各々を表示するための複数の画像表示領域が含まれており、
前記複数の画像表示領域の各々には、前記複数の画像表示領域の各々に対応づけられる画像のアップロード先を含む識別子が表示されており、
前記受付ステップは、前記複数の画像のアップロード先のうち所定の画像のアップロード先に対してアップロードする画像を受け付け、
前記第２表示制御ステップは、受け付けた画像を、前記所定の画像のアップロード先に対応する画像表示領域に表示させる、情報処理方法。
【請求項２】
前記受付ステップは、前記第２情報処理装置から前記アップロードする画像を受け付ける前に、前記識別子で示される画像のアップロード先へのアクセスを受け付け、
前記第２表示制御ステップは、前記アクセスを受け付けた場合、前記画像登録画面に、ユーザが操作中であることを示すメッセージを表示させる、請求項１に記載の情報処理方法。
【請求項３】
前記受付ステップは、更に、前記第２情報処理装置の画面において行われる、画像をアップロードするためのユーザ操作の状況を示す操作状況データを前記第２情報処理装置から受付け、
前記第２表示制御ステップは、前記操作状況データに応じたユーザ操作の状況を示すメッセージを、前記画像登録画面に表示させる、請求項１に記載の情報処理方法。
【請求項４】
前記識別子には、アップロードすべき画像をユーザに指示する情報が含まれている、請求項１乃至３のいずれか一項に記載の情報処理方法。
【請求項５】
前記アップロードすべき画像をユーザに指示する情報は、画像の枠内における撮影対象の位置を示す撮影ガイドを前記第２情報処理装置の画面に描画させるためのデータである、請求項４に記載の情報処理方法。
【請求項６】
第１情報処理装置及び第２情報処理装置と通信する第３情報処理装置として動作する情報処理装置であって、
アップロードされる画像を表示するための画像表示領域を含む画像登録画面であって、前記画像表示領域に表示する画像のアップロード先を示す情報を含む識別子が表示される画像登録画面を前記第１情報処理装置に表示させる第１表示制御部と、
前記第２情報処理装置から、前記識別子で示される画像のアップロード先に対してアップロードする画像を受け付ける受付部と、
前記画像登録画面における前記画像表示領域に、受け付けた画像を表示させる第２表示制御部と、を有し、
前記画像登録画面には、アップロードされる複数の画像の各々を表示するための複数の画像表示領域が含まれており、
前記複数の画像表示領域の各々には、前記複数の画像表示領域の各々に対応づけられる画像のアップロード先を含む識別子が表示されており、
前記受付部は、前記複数の画像のアップロード先のうち所定の画像のアップロード先に対してアップロードする画像を受け付け、
前記第２表示制御部は、受け付けた画像を、前記所定の画像のアップロード先に対応する画像表示領域に表示させる、情報処理装置。
【請求項７】
第１情報処理装置及び第２情報処理装置と通信する第３情報処理装置に、
アップロードされる画像を表示するための画像表示領域を含む画像登録画面であって、前記画像表示領域に表示する画像のアップロード先を示す情報を含む識別子が表示される画像登録画面を前記第１情報処理装置に表示させる第１表示制御ステップと、
前記第２情報処理装置から、前記識別子で示される画像のアップロード先に対してアップロードする画像を受け付ける受付ステップと、
前記画像登録画面における前記画像表示領域に、受け付けた画像を表示させる第２表示制御ステップと、を実行させ、
前記画像登録画面には、アップロードされる複数の画像の各々を表示するための複数の画像表示領域が含まれており、
前記複数の画像表示領域の各々には、前記複数の画像表示領域の各々に対応づけられる画像のアップロード先を含む識別子が表示されており、
前記受付ステップは、前記複数の画像のアップロード先のうち所定の画像のアップロード先に対してアップロードする画像を受け付け、
前記第２表示制御ステップは、受け付けた画像を、前記所定の画像のアップロード先に対応する画像表示領域に表示させる、プログラム。